(57)【要約】【課題】   この発明は、消費者の情報端末装置を活用して消費者に対して効果的に広告を行うことが可能な広告画像送信システムおよび方法並びに装置の提供を目的とする。【解決手段】  サーバ１からインターネットＩＮを介して複数の消費者Ａのパソコン２にカレンダ画像Ｃと壁紙画像Ｋを送信する。パソコン１では、所定期間ごとにカレンダ画像Ｃを表示部２６に切り替え表示するとともに、それと連動して対応する壁紙画像Ｋを表示部２６に切り替え表示する。これにより企業は、毎日のように且つ長期間に亘って消費者に対して壁紙画像Ｋを閲覧させことができ、消費者Ａの情報端末装置を活用して消費者に対して効果的に広告を行うことが可能となる。【選択図】      図１
2004287393.tif 000002
【特許請求の範囲】
【請求項１】
サーバコンピュータと複数の消費者の情報端末装置とがネットワークに接続され、広告に関する画像をサーバコンピュータからネットワークを介して複数の消費者の情報端末装置に対して送信して該情報端末装置において表示するものとなされた広告画像表示システムであって、
前記広告に関する画像は、所定期間ごとの複数のカレンダ画像と、各カレンダ画像に対応して異なる画像が設定された複数の壁紙画像とからなり、
前記サーバコンピュータは、
前記カレンダ画像と壁紙画像を互いに対応させながら記憶するサーバ側画像記憶手段と、
前記サーバ側画像記憶手段に記憶されている複数のカレンダ画像と壁紙画像をネットワークを介して前記情報端末装置に対して送信する画像送信手段とを備え、
前記情報端末装置は、
所定の画像を表示する表示手段と、
前記サーバコンピュータからネットワークを介して送信されてきた複数のカレンダ画像と壁紙画像を受信する画像受信手段と、
該画像受信手段により受信された複数のカレンダ画像と壁紙画像を互いに対応させながら記憶する端末側画像記憶手段と、
該端末側画像記憶手段に記憶されているカレンダ画像を所定期間ごとに前記表示手段に切り替え表示するとともに、それと連動して対応する壁紙画像をデスクトップの背景として前記表示手段に切り替え表示する制御手段と、
を備えてなることを特徴とする広告画像表示システム。
【請求項２】
前記情報端末装置は、
消費者に関する情報を入力するための入力手段と、
該入力手段により入力された消費者に関する情報を記憶する端末側消費者情報記憶手段と、
該端末側消費者情報記憶手段に記憶されている消費者に関する情報を前記表示手段に表示された前記カレンダ画像上に表示する制御手段と、
を備える請求項１に記載の広告画像表示システム。
【請求項３】
前記サーバコンピュータは、
企業に関する情報を記憶するサーバ側企業情報記憶手段と、
該サーバ側企業情報記憶手段に記憶されている企業に関する情報をネットワークを介して前記情報端末装置に対して送信する企業情報送信手段とを備え、
前記情報端末装置は、
前記サーバコンピュータからネットワークを介して送信されてきた企業に関する情報を受信する企業情報受信手段と、
該企業情報受信手段により受信された企業に関する情報を記憶する端末側企業情報記憶手段と、
該端末側企業情報記憶手段に記憶されている企業に関する情報を前記表示手段に表示された前記カレンダ画像上に表示する制御手段と、
を備える請求項１または請求項２に記載の広告画像表示システム。    
【請求項４】
前記サーバコンピュータは、企業に関する情報を受信した情報端末装置の消費者について、受信ごとにポイントを累積しながら記憶するポイント記憶手段が設けられている請求項３に記載の広告画像表示システム。
【請求項５】
前記サーバコンピュータは、
複数の企業に関する情報を記憶するサーバ側企業情報記憶手段と、
各消費者に関する情報を記憶するサーバ側消費者情報記憶手段と、
前記サーバ側消費者情報記憶手段に記憶されている消費者に関する情報に基づいて、各消費者の分類を判定する消費者分類判定手段と、
該消費者分類判定手段により判定された消費者の分類に基づいて、その分類に対応する企業に関する情報を前記サーバ側企業情報記憶手段から検索する企業情報検索手段と、
該企業情報検索手段により検索された企業に関する情報を、対応する分類の各消費者の情報端末装置にネットワークを介して送信する企業情報送信手段と、
を備える請求項３または４のいずれかに記載の広告画像表示システム。
【請求項６】
前記消費者に関する情報は、消費者の情報端末装置に記憶されているカレンダ画像および壁紙画像に関する情報となされ、且つ前記消費者の分類は、消費者の年齢層および性別となされ、
前記消費者分類判定手段は、消費者の情報端末装置に記憶されているカレンダ画像および壁紙画像に関する情報に基づいて、消費者の年齢層および性別を判定し、
前記企業情報検索手段は、前記消費者分類判定手段により判定された消費者の年齢層および性別に基づいて、その年齢層および性別に対応する企業に関する情報を前記サーバ側企業情報記憶手段から検索するものである請求項５に記載の広告画像表示システム。
【請求項７】
前記情報端末装置は、
複数の企業のカレンダ画像および壁紙画像を、数字、文字、あるいは記号からなるチャンネルに対応させて記憶する端末側画像記憶手段と、
複数のチャンネルからなるチャンネル画像を表示手段に表示させるとともに、そのチャンネル画像のいすれかのチャンネルが選択された場合に、そのチャンネルに対応する企業のカレンダ画像および壁紙画像を前記端末側画像記憶手段から読み出して前記表示手段に切り替え表示させる制御手段と、
を備える請求項１から請求項６のいずれかに記載の広告画像表示システム。
【請求項８】
前記制御手段は、前記端末側消費者情報記憶手段に記憶されている消費者に関する情報を、前記チャンネル選択による切り替え表示後のカレンダ画像上に対しても表示するものとなされている請求項７に記載の広告画像表示システム。
【請求項９】
前記情報端末装置は、携帯型情報端末装置により撮影された画像を、その撮影年月日に対応するカレンダ画像上の年月日に関連付けて記憶する画像記憶手段を備える請求項１から請求項８に記載の広告画像表示システム。
【請求項１０】
前記情報端末装置の制御手段は、前記企業についてのアイコン画像を前記表示手段に表示するとともに、該アイコン画像が前記入力手段により選択された場合に、前記情報端末装置を企業のホームページが存在するサーバコンピュータに接続させる請求項１から請求項９のいずれかに記載の広告画像表示システム。
【請求項１１】
前記カレンダ画像は、シースルー画像となされている請求項１から請求項１０のいずれかに記載の広告画像表示システム。
【請求項１２】
サーバコンピュータと複数の消費者の情報端末装置とがネットワークに接続されたシステムにおいて、広告に関する画像をサーバコンピュータからネットワークを介して複数の消費者の情報端末装置に対して送信して該情報端末装置において表示する広告画像表示方法であって、
前記広告に関する画像は、所定期間ごとの複数のカレンダ画像と、各カレンダ画像に対応して異なる画像が設定された複数の壁紙画像とからなり、
前記サーバコンピュータにおいて、
前記カレンダ画像と壁紙画像を互いに対応させながらサーバ側画像記憶手段に記憶し、
前記サーバ側画像記憶手段に記憶されている複数のカレンダ画像と壁紙画像を、前記情報端末装置からの要求に応じてネットワークを介して前記情報端末装置に対して画像送信手段により送信し、
前記情報端末装置において、
前記サーバコンピュータからネットワークを介して送信されてきた複数のカレンダ画像と壁紙画像を画像受信手段により受信し、
該画像受信手段により受信された複数のカレンダ画像と壁紙画像を互いに対応させながら端末側画像記憶手段に記憶し、
制御手段により該端末側画像記憶手段に記憶されているカレンダ画像を所定期間ごとに前記表示手段に切り替え表示するとともに、それと連動して対応する壁紙画像をデスクトップの背景として前記表示手段に切り替え表示することを特徴とする広告画像表示方法。
【請求項１３】
広告に関する画像を表示する広告画像表示装置であって、
前記広告に関する画像は、所定期間ごとの複数のカレンダ画像と、各カレンダ画像に対応して異なる画像が設定された複数の壁紙画像とからなり、
所定の画像を表示する表示手段と、
所定期間ごとの複数のカレンダ画像と、各カレンダ画像に対応して異なる画像が設定された複数の壁紙画像とを記憶する端末側画像記憶手段と、
前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段と、
を備えてなることを特徴とする広告画像表示装置。
【請求項１４】
コンピュータを、
所定の画像を表示する表示手段、
所定期間ごとの複数のカレンダ画像と、各カレンダ画像に対応して異なる画像が設定された複数の壁紙画像とを記憶する端末側画像記憶手段、
前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段として機能させるためのプログラム。
【請求項１５】
コンピュータを、
所定の画像を表示する表示手段、
所定期間ごとの複数のカレンダ画像と、各カレンダ画像に対応して異なる画像が設定された複数の壁紙画像とを記憶する端末側画像記憶手段、
前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段として機能させるためのプログラムが記録されたコンピュータ読み取り可能な記録媒体。
【発明の詳細な説明】
【技術分野】
【０００１】
この発明は、消費者の情報端末装置を広告媒体として活用して、消費者に対して効率的に広告を行うことができる広告画像表示システムおよび方法並びに装置に関する。
【背景技術】
【０００２】
従来、企業の広告媒体として、テレビ、新聞、雑誌、あるいはラジオなどが知られている。これらの媒体による広告は、一般にプッシュ型コミュニケーションと呼ばれ、消費者に対して企業の広告情報を一方的に伝達するものであり、いかに効果的に企業の広告情報を伝達することができるかが重要である。
【０００３】
最近では、多くの消費者がパソコン等の情報端末装置を所有し、情報端末装置をインターネットに接続して多くの情報を得ることができるようになっている。そして、インターネットというのは上述の広告媒体とは比べもにならない多くの情報を消費者に与えることができるという点から、企業ではインターネットによる広告が注目されている（例えば、特許文献１参照）。
【０００４】
ところが、現在、インターネット上に存在する広告のほとんどはバナー広告である。これは、消費者がバナー広告の所定箇所をクリックすることにより初めて広告の内容を知ることができるもので、このように自らクリックした時点でもはやプッシュ型コミュニケーションではない。企業がインターネットを有効な広告媒体とみなすためには、プッシュ型コミュニケーションを実現することが必要不可欠である。現在、それができていないのでインターネットによる広告が停滞している。
【０００５】
一方、情報端末装置のデスクトップの背景として表示される画像、いわゆる壁紙画像を用いて広告を行うことが知られている。即ち、企業が自社の広告用の壁紙画像を作成し、消費者がその壁紙画像をインターネット上あるいはＣＤ−ＲＯＭから自己のパソコンにダウンロードして、自己のパソコンの壁紙画像に設定するものである（例えば、特許文献２参照）。
【特許文献１】特開２００２−２２１９２６号公報
【特許文献２】特開２００１−３１２６４７号公報
【発明の開示】
【発明が解決しようとする課題】
【０００６】
しかしながら、消費者は同じ壁紙画像を長期間設定することはほとんどなく、すぐにその壁紙に飽き、その壁紙画像を消去するか、あるいは他社の目新しい壁紙画像に乗り換えてしまう。このため、企業は消費者に対して効果的に広告を行うことができないという問題があった。
【０００７】
この発明は、上述のような技術背景に鑑みてなされたものであって、消費者の情報端末装置を活用して消費者に対して効果的に広告を行うことが可能な広告画像送信システムおよび方法並びに装置の提供を目的とする。
【課題を解決するための手段】
【０００８】
この発明は、上述の目的を達成するために、サーバコンピュータと複数の消費者の情報端末装置とがネットワークに接続され、広告に関する画像をサーバコンピュータからネットワークを介して複数の消費者の情報端末装置に対して送信して該情報端末装置において表示する広告画像表示システムであって、
前記広告に関する画像は、所定期間ごとの複数のカレンダ画像と、各カレンダ画像に対応して異なる画像が設定された複数の壁紙画像とからなり、
前記サーバコンピュータは、前記カレンダ画像と壁紙画像を互いに対応させながら記憶するサーバ側画像記憶手段と、前記サーバ側画像記憶手段に記憶されている複数のカレンダ画像と壁紙画像をネットワークを介して前記情報端末装置に対して送信する画像送信手段とを備え、
前記情報端末装置は、所定の画像を表示する表示手段と、前記サーバコンピュータからネットワークを介して送信されてきた複数のカレンダ画像と壁紙画像を受信する画像受信手段と、該画像受信手段により受信された複数のカレンダ画像と壁紙画像を互いに対応させながら記憶する端末側画像記憶手段と、該端末側画像記憶手段に記憶されているカレンダ画像を所定期間ごとに前記表示手段に切り替え表示するとともに、それと連動して対応する壁紙画像をデスクトップの背景として前記表示手段に切り替え表示する制御手段と、を備えてなることを特徴とする。
【０００９】
なお、情報端末装置とは、汎用コンピュータ（パソコン）、携帯電話、ＰＨＳ（Personal Handy-phone System）、ＰＤＡ（Personal Digital Assistant）など、インターネット等のネットワークに接続して各種情報画面を閲覧することができる装置をいう。
【００１０】
これによれば、ビジネスマン、学生、および主婦など大部分の消費者は、情報端末装置のデスクトップに表示されているカレンダ画像を毎日のように閲覧することから、そのカレンダ画像と連動して情報端末装置のデスクトップに表示されている壁紙画像も必然的に毎日のように閲覧する。しかも、複数のカレンダ画像が所定期間ごとに切り替え表示されると、それと連動して壁紙画像も所定期間ごとに切り替え表示されるので、消費者が壁紙画像に飽きて壁紙画像を消去したり、あるいは他社の目新しい壁紙画像に乗り換えることを防止し得る。このため、企業は、毎日のように且つ長期間に亘って消費者に対して壁紙画像を閲覧させことができ、消費者の情報端末装置を活用して消費者に対して効果的に広告を行うことが可能となる。
【００１１】
また、前記情報端末装置は、消費者に関する情報を入力するための入力手段と、該入力手段により入力された消費者に関する情報を記憶する端末側消費者情報記憶手段と、該端末側消費者情報記憶手段に記憶されている消費者に関する情報を前記表示手段に表示された前記カレンダ画像上に表示する制御手段と、を備えるのが好ましい。
【００１２】
これによれば、カレンダ画像上にスケジュール、記念日、その他消費者に関する情報が入力されることから、カレンダ画像の実用性が向上するとともに、カレンダ画像への消費者の愛着も向上する。このため、消費者は、カレンダ画像と連動して表示される壁紙画像も必然的に保持することになるので、企業は消費者の情報端末装置を活用して消費者に対してより一層効果的に広告を行うことが可能となる。
【００１３】
前記サーバコンピュータは、企業に関する情報を記憶するサーバ側企業情報記憶手段と、該サーバ側企業情報記憶手段に記憶されている企業に関する情報をネットワークを介して前記情報端末装置に対して送信する企業情報送信手段とを備え、
前記情報端末装置は、前記サーバコンピュータからネットワークを介して送信されてきた企業に関する情報を受信する企業情報受信手段と、該企業情報受信手段により受信された企業に関する情報を記憶する端末側企業情報記憶手段と、該端末側企業情報記憶手段に記憶されている企業に関する情報を前記表示手段に表示された前記カレンダ画像上に表示する制御手段と、を備えるのが好ましい。
【００１４】
これによれば、カレンダ画像上に、製品の発売日、予約受付開始日、あるいはイベント開催日、その他企業に関する情報が表示されるので、企業は自社に関する様々な情報を消費者に対してタイムリーに提供することができ、企業は消費者の情報端末装置を活用して消費者に対してより一層効果的に広告を行うことが可能となる。
【００１５】
また、前記サーバコンピュータは、前記サーバコンピュータは、企業に関する情報を受信した情報端末装置の消費者について、受信ごとにポイントを累積しながら記憶するポイント記憶手段が設けられているのが好ましい。
これによれば、消費者はポイント獲得のために企業に関する情報を積極的に受信するので、企業に関する情報を効率的に消費者の閲覧に供することができる。
【００１６】
また、前記サーバコンピュータは、複数の企業に関する情報を記憶するサーバ側企業情報記憶手段と、各消費者に関する情報を記憶するサーバ側消費者情報記憶手段と、前記サーバ側消費者情報記憶手段に記憶されている消費者に関する情報に基づいて、各消費者の分類を判定する消費者分類判定手段と、該消費者分類判定手段により判定された消費者の分類に基づいて、その分類に対応する企業に関する情報を前記サーバ側企業情報記憶手段から検索する企業情報検索手段と、該企業情報検索手段により検索された企業に関する情報を、対応する分類の各消費者の情報端末装置にネットワークを介して送信する企業情報送信手段と、を備えるのが好ましい。
【００１７】
これによれば、各消費者の情報端末装置に対して、各消費者の分類に対応した企業情報を送信するので、企業は自社に関する様々な情報をそれに興味を有する消費者に提供することができ、企業は消費者に対してより一層効率的に広告を行うことが可能となる。
【００１８】
また、前記消費者に関する情報は、消費者の情報端末装置に記憶されているカレンダ画像および壁紙画像に関する情報となされ、且つ前記消費者の分類は、消費者の年齢層および性別となされ、前記消費者分類判定手段は、消費者の情報端末装置に記憶されているカレンダ画像および壁紙画像に関する情報に基づいて、消費者の年齢層および性別を判定し、前記企業情報検索手段は、前記消費者分類判定手段により判定された消費者の年齢層および性別に基づいて、その年齢層および性別に対応する企業に関する情報を前記サーバ側企業情報記憶手段から検索するものであるのが好ましい。
【００１９】
これによれば、各消費者の情報端末装置にあるカレンダ画像および壁紙画像から各消費者の年齢層および性別を割り出して、各消費者の情報端末装置に対して、各消費者の年齢層および性別に対応した企業情報を送信するので、企業は自社に関する様々な情報をそれ興味を有する消費者に提供することができ、企業は消費者に対してより一層効率的に広告を行うことが可能となる。
【００２０】
また、前記情報端末装置は、複数の企業のカレンダ画像および壁紙画像を、数字、文字、あるいは記号からなるチャンネルに対応させて記憶する端末側画像記憶手段と、複数のチャンネルからなるチャンネル画像を表示手段に表示させるとともに、そのチャンネル画像のいすれかのチャンネルが選択された場合に、そのチャンネルに対応する企業のカレンダ画像および壁紙画像を前記端末側画像記憶手段から読み出して前記表示手段に切り替え表示させる制御手段と、を備えるのが好ましい。
【００２１】
これによれば、消費者は、情報端末装置においてチャンネル画面のいずれかのチャンネルが選択することにより、所望の企業のカレンダ画像および壁紙画像に簡単に切り替え表示することができる。
【００２２】
また、前記制御手段は、前記端末側消費者情報記憶手段に記憶されている消費者に関する情報を前記表示手段に表示された前記カレンダ画像上に表示するものとなされているのが好ましい。
【００２３】
これによれば、消費者は、企業のカレンダ画像および壁紙画像を切り替え表示した場合であっても、自己のスケジュール等の消費者情報をそのままカレンダ画像に表示させることができる。
【００２４】
また、前記情報端末装置は、携帯型情報端末装置により撮影された画像を、その撮影年月日に対応するカレンダ画像上の撮影年月日に関連付けて記憶する撮影画像記憶手段を備えるのが好ましい。なお、携帯型情報端末装置には、例えば携帯電話やデジタルカメラ等が挙げられる。
【００２５】
これによれば、カレンダ画像上の年月日欄をクリックする方法等によって、その年月日に撮影された画像を情報端末装置の表示手段に表示させることができる。
【００２６】
また、前記制御手段は、前記企業についてのアイコン画像を前記表示手段に表示するとともに、該アイコン画像が前記入力手段により選択された場合に、前記情報端末装置を企業のホームページが存在するサーバコンピュータに接続させるのが好ましい。
【００２７】
これによれば、消費者は入力手段により当該アイコン画像をクリックするだけで企業のホームページに簡単にアクセスし得るので、企業はホームページを通じてさらに自社に関する様々な情報を消費者に対して提供することができる。
【００２８】
また、前記カレンダ画像は、シースルー画像となされているのが好ましい。
【００２９】
これによれば、カレンダ画像が表示されている部分においても背景の壁紙画像が透けて表示されるので、カレンダ画像に隠れることなく壁紙画像全体を広告に用いることができる。
【００３０】
また、この発明に係る広告画像表示方法は、サーバコンピュータと複数の消費者の情報端末装置とがネットワークに接続されたシステムにおいて、広告に関する画像をサーバコンピュータからネットワークを介して複数の消費者の情報端末装置に対して送信して該情報端末装置において表示する広告画像表示方法であって、
前記広告に関する画像は、所定期間ごとの複数のカレンダ画像と、各カレンダ画像に対応して異なる画像が設定された複数の壁紙画像とからなり、
前記サーバコンピュータにおいて、前記カレンダ画像と壁紙画像を互いに対応させながらサーバ側画像記憶手段に記憶し、前記サーバ側画像記憶手段に記憶されている複数のカレンダ画像と壁紙画像を、前記情報端末装置からの要求に応じてネットワークを介して前記情報端末装置に対して画像送信手段により送信し、
前記情報端末装置において、前記サーバコンピュータからネットワークを介して送信されてきた複数のカレンダ画像と壁紙画像を画像受信手段により受信し、該画像受信手段により受信された複数のカレンダ画像と壁紙画像を互いに対応させながら端末側画像記憶手段に記憶し、制御手段により該端末側画像記憶手段に記憶されているカレンダ画像を所定期間ごとに前記表示手段に切り替え表示するとともに、それと連動して対応する壁紙画像をデスクトップの背景として前記表示手段に切り替え表示することを特徴とする。
【００３１】
これによれば、ビジネスマン、学生、および主婦など大部分の消費者は、情報端末装置のデスクトップに表示されているカレンダ画像を毎日のように閲覧することから、そのカレンダ画像と連動して情報端末装置のデスクトップに表示されている壁紙画像も必然的に毎日のように閲覧する。しかも、複数のカレンダ画像が所定期間ごとに切り替え表示されると、それと連動して壁紙画像も所定期間ごとに切り替え表示されるので、消費者が壁紙画像に飽きて壁紙画像を消去したり、あるいは他社の目新しい壁紙画像に乗り換えることを防止し得る。このため、企業は、毎日のように且つ長期間に亘って消費者に対して壁紙画像を閲覧させことができ、消費者の情報端末装置を活用して消費者に対して効果的に広告を行うことが可能となる。
【００３２】
また、この発明に係る広告画像表示装置は、広告に関する画像を表示する広告画像表示装置であって、
前記広告に関する画像は、所定期間ごとの複数のカレンダ画像と、各カレンダ画像に対応して異なる画像が設定された複数の壁紙画像とからなり、
所定の画像を表示する表示手段と、所定期間ごとの複数のカレンダ画像と、各カレンダ画像に対応して異なる画像が設定された複数の壁紙画像とを記憶する端末側画像記憶手段と、前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段と、を備えてなることを特徴とする。
【００３３】
これによれば、ビジネスマン、学生、および主婦など大部分の消費者は、情報端末装置のデスクトップに表示されているカレンダ画像を毎日のように閲覧することから、そのカレンダ画像と連動して情報端末装置のデスクトップに表示されている壁紙画像も必然的に毎日のように閲覧する。しかも、複数のカレンダ画像が所定期間ごとに切り替え表示されると、それと連動して壁紙画像も所定期間ごとに切り替え表示されるので、消費者が壁紙画像に飽きて壁紙画像を消去したり、あるいは他社の目新しい壁紙画像に乗り換えることを防止し得る。このため、企業は、毎日のように且つ長期間に亘って消費者に対して壁紙画像を閲覧させことができ、消費者の情報端末装置を活用して消費者に対して効果的に広告を行うことが可能となる。
【００３４】
また、この発明に係るプログラムは、コンピュータを、所定の画像を表示する表示手段、所定期間ごとの複数のカレンダ画像と、各カレンダ画像に対応して異なる画像が設定された複数の壁紙画像とを記憶する端末側画像記憶手段、前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段として機能させるためのプログラムである。
【００３５】
これによれば、消費者が前記プログラムをサーバコンピュータからネットワークを介してダウンロードすることによって、自己のコンピュータを前記広告画像表示装置として機能させることことができるので、企業は消費者の情報端末装置を活用して消費者に対して効果的に広告を行うことが可能となる。
【００３６】
また、この発明に係るコンピュータ読み取り可能な記録媒体は、コンピュータを、所定の画像を表示する表示手段、所定期間ごとの複数のカレンダ画像と、各カレンダ画像に対応して異なる画像が設定された複数の壁紙画像とを記憶する端末側画像記憶手段、前記端末側画像記憶手段に記憶されているカレンダ画像を所定期間ごとに前記表示手段に切り替え表示するとともに、それと連動して複数の壁紙画像をデスクトップの背景として前記表示手段に切り替え表示する制御手段として機能させるためのプログラムが記録されている。
【００３７】
これによれば、消費者が前記記録媒体に記録されたプログラムをインストールすることによって、自己のコンピュータを前記広告画像表示装置として機能させることことができるので、企業は消費者の情報端末装置を活用して消費者に対して効果的に広告を行うことが可能となる。
【発明の効果】
【００３８】
本発明によれば、ビジネスマン、学生、および主婦など大部分の消費者は、情報端末装置のデスクトップに表示されているカレンダ画像を毎日のように閲覧することから、そのカレンダ画像と連動して情報端末装置のデスクトップに表示されている壁紙画像も必然的に毎日のように閲覧する。しかも、複数のカレンダ画像が所定期間ごとに切り替え表示されると、それと連動して壁紙画像も所定期間ごとに切り替え表示されるので、消費者が壁紙画像に飽きて壁紙画像を消去したり、あるいは他社の目新しい壁紙画像に乗り換えることを防止し得る。このため、企業は、毎日のように且つ長期間に亘って消費者に対して壁紙画像を閲覧させことができ、消費者の情報端末装置を活用して消費者に対して効果的に広告を行うことが可能となる。
【発明を実施するための最良の形態】
【００３９】
次にこの発明の実施形態について説明する。
【００４０】
図１は、この実施形態に係る広告画像表示システムの構成概略図である。
【００４１】
図１において、（１）は広告に関する画像を管理および配信するサーバコンピュータ（以下、サーバという）、（２）は各消費者（Ａ）…の汎用コンピュータ（以下、パソコンという）であり、サーバ（１）と各パソコン（２）はそれぞれインターネット（ＩＮ）に通信可能な状態で接続されている。なお、（Ａ）は、ビジネスマン、学生、および主婦などパソコン（２）を操作しうるすべての消費者（ユーザ）のことをいう。
【００４２】
この広告に関する画像は、所定期間ごとの複数のカレンダ画像（Ｃ）と、各カレンダ画像（Ｃ）に対応して異なる画像が設定された複数の壁紙画像（Ｋ）とからなる。これらカレンダ画像（Ｃ）と壁紙画像（Ｋ）については後に詳述する。
【実施例１】
【００４３】
図２は、前記広告画像表示システムのサーバ（１）のハードウェア構成を示す概略図である。
【００４４】
このサーバ（１）は、各部の制御、各種の画面表示、データの転送、種々の演算等を行う中央演算処理装置（ＣＰＵ）を有する制御部（１１）と、各種処理を実行するためのプログラムが格納されているＲＯＭ（Read Only Memory）（１２）と、前記制御部（１）が各種処理を実行するときに必要なデータやプログラムなどが適宜記憶されるＲＡＭ（Random Access Memory）（１３）と、前記カレンダ画像（Ｃ）および壁紙画像（Ｋ）を互いに対応させながら記憶するサーバ側画像記憶部（１４）と、カレンダ画像（Ｃ）および壁紙画像（Ｋ）をインターネット（ＩＮ）を介して前記パソコン（２）に送信する画像送信手段としての機能等を有する通信部（１５）とを備えてなる。
【００４５】
しかして、前記パソコン（２）からインターネット（ＩＮ）を介して画像送信の要求があると、前記制御部（１１）は前記サーバ側画像記憶部（１４）からカレンダ画像（Ｃ）および壁紙画像（Ｋ）を読み出したあと、通信部（１５）に命令してカレンダ画像（Ｃ）および壁紙画像（Ｋ）を通信部（１５）からインターネット（ＩＮ）を介して前記パソコン（２）に送信する。
【００４６】
なお、このカレンダ画像（Ｃ）および壁紙画像（Ｋ）が前記パソコン（２）に送信される際、それら画像の各種表示を行うための画像表示プログラムも前記パソコン（２）に同時に送信される。
【００４７】
図３は、前記広告画像表示システムのパソコン（２）のハードウェア構成を示す概略図である。
【００４８】
前記パソコン（２）は、各部の制御、各種の画面表示、データの転送、種々の演算等を行う中央演算処理装置（ＣＰＵ）を有する制御部（２１）と、各種処理を実行するためのプログラムが格納されているＲＯＭ（Read Only Memory）（２２）と、前記制御部（１）が各種処理を実行するときに必要なデータやプログラムなどが適宜記憶されるＲＡＭ（Random Access Memory）（２３）と、前記サーバ（１）からインターネット（ＩＮ）を介して送信されてきたカレンダ画像（Ｃ）と壁紙画像（Ｋ）を受信する画像受信手段としての機能等を有する通信部（２４）と、該通信部（２４）により受信されたカレンダ画像（Ｃ）と壁紙画像（Ｋ）を記憶する端末側画像記憶部（２５）と、カレンダ画像（Ｃ）と壁紙画像（Ｋ）等の各種画面を表示する表示部（２６）と、キーボードやマウス等からなる入力部（２７）とを備えてなる。
【００４９】
しかして、前記パソコン（２）からインターネット（ＩＮ）を介してサーバ（１）に対して広告画像の送信を要求すると、前記サーバ（１）からカレンダ画像（Ｃ）と壁紙画像（Ｋ）が前記インターネット（ＩＮ）を介して送信されてくる。制御部（２１）は、送信されてきたカレンダ画像（Ｃ）と壁紙画像（Ｋ）を前記通信部（２４）により受信せしめたあと、カレンダ画像（Ｃ）と壁紙画像（Ｋ）を互いに対応させながら前記端末側画像記憶部（２５）に記憶せしめる。そして、前記制御部（２１）は、後述するように前記端末側画像記憶部（２５）に記憶されているカレンダ画像（Ｃ）および壁紙画像（Ｋ）を読み出したあと、カレンダ画像（Ｃ）を所定期間ごとに表示部（２６）に切り替え表示するとともに、それと連動して対応する壁紙画像（Ｋ）を表示部（２６）に切り替え表示する。
【００５０】
なお、カレンダ画像（Ｃ）と壁紙画像（Ｋ）の受信および記憶の際に、前記画像表示プログラムも同時に受信および記憶され（ダウンロード）、その画像表示プログラムに従って前記制御部（２１）がカレンダ画像（Ｃ）と壁紙画像（Ｋ）の切り替え表示を行う。
【００５１】
この画像表示プログラムは、コンピュータを、少なくとも所定の画像を表示する表示部（２６）、所定期間ごとの複数のカレンダ画像（Ｃ）と、各カレンダ画像（Ｃ）に対応して異なる画像が設定された複数の壁紙画像（Ｋ）とを記憶する端末側画像記憶部（２５）、端末側画像記憶部（２５）に記憶されているカレンダ画像（Ｃ）を所定期間ごとに前記表示部（２６）に切り替え表示するとともに、それと連動して複数の壁紙画像（Ｋ）をデスクトップの背景として前記表示部（２６）に切り替え表示する制御部（２１）として機能させるためのプログラムである。
【００５２】
図４は、カレンダ画像（Ｃ）および壁紙画像（Ｋ）の一例（２００３年１０月）を示す図である。
【００５３】
前記カレンダ画像（Ｃ）は、月ごとの暦が表示されたもので、最上段の曜日枠（５１）には曜日（日［SUN］、月［MON］、火［TUE］、水［WED］、木［THU］、金［FRI］、土［SAT］）（５１）が表示されるとともに、２段目から６段目までの日枠（５２）には前記曜日に対応する日（１〜３１）が表示され、さらに前記曜日枠（５１）の左上部には西暦と月が表示される。なお、カレンダ画像（Ｃ）内の今日（例えば１５日）の日枠（５２）には色が付されており、消費者（Ａ）が今日は何日・何曜日であるかを把握できるようになっている。
【００５４】
前記壁紙画像（Ｋ）は、企業の広告に関する画像であり、デスクトップ画面の背景として表示される。この実施例では競馬関係の企業の広告として競馬写真の壁紙画像が表示されている。
【００５５】
前記カレンダ画像（Ｃ）と壁紙画像（Ｋ）は、図６に示すように、１月のカレンダ画像（Ｃ１）には壁紙画像（Ｋ１）、２月のカレンダ画像（Ｃ２）には壁紙画像（Ｋ２）、３月のカレンダ画像（Ｃ３）には壁紙画像（Ｋ３）、４月のカレンダ画像（Ｃ４）には壁紙画像（Ｋ４）、５月のカレンダ画像（Ｃ５）には壁紙画像（Ｋ５）、６月のカレンダ画像（Ｃ６）には壁紙画像（Ｋ６）、７月のカレンダ画像（Ｃ７）には壁紙画像（Ｋ７）、８月のカレンダ画像（Ｃ８）には壁紙画像（Ｋ８）、９月のカレンダ画像（Ｃ９）には壁紙画像（Ｋ９）、１０月のカレンダ画像（Ｃ１０）には壁紙画像（Ｋ１０）、１１月のカレンダ画像（Ｃ１１）には壁紙画像（Ｋ１１）、１２月のカレンダ画像（Ｃ１２）には壁紙画像（ａ１２）がそれぞれ対応するよう設定されている。
【００５６】
しかして、例えば１月のカレンダ画像（Ｃ１）が表示部（２６）に切り替え表示されると、それと連動して１月のカレンダ画像（Ｃ１）に対応する壁紙画像（Ｋ１）がデスクトップ画面の背景として表示部（２６）に切り替え表示され、また２月のカレンダ画像（Ｃ２）が表示部（２６）に切り替え表示されると、それと連動して２月のカレンダ画像（Ｃ２）に対応する壁紙画像（Ｋ２）がデスクトップ画面の背景として表示部（２６）に切り替え表示されるというように、カレンダ画像（Ｃ）が月ごとに表示部（２６）に切り替え表示されると、それと連動して対応する壁紙画像（Ｋ）がデスクトップ画面の背景として表示部（２６）に切り替え表示される。
【００５７】
このカレンダ画像（Ｃ）と壁紙画像（Ｋ）は、実際のカレンダ（暦）に従って自動的に切り替える表示されるようになっている。この実施例では、前記制御部（２１）が、前記パソコン（２）内のカレンダ機能と連動してカレンダ画像（Ｃ）と壁紙画像（Ｋ）を自動的に切り替える。
【００５８】
また、カレンダ画像（Ｃ）と壁紙画像（Ｋ）は、消費者（Ａ）の入力部（２７）の操作によって手動的に切り替え表示されるようにもなっている。
【００５９】
具体的には、消費者（Ａ）が、図４に示すデスクトップ画面において右下の馬マーク（６１）をマウスでクリックすると、図５に示すように、カレンダ画像（Ｃ）の上部に「ＢＡＣＫ」「ＮＥＸＴ」などの見出しが表示された設定用デスクトップ画面が表示される。そして、このデスクトップ画面において、消費者（Ａ）が「ＢＡＣＫ」部分（５３）をマウスでクリックすると、前記制御部（２１）は、端末側画像記憶部（２５）から９月のカレンダ画像（Ｃ９）と壁紙画像（Ｋ９）を読み出して、９月のカレンダ画像（Ｃ９）を表示部（２６）に切り替え表示するとともに、それと連動して対応する壁紙画像（Ｋ９）を表示部（２６）に切り替え表示する。一方、消費者（Ａ）が「ＮＥＸＴ」部分（５４）をマウスでクリックすると、制御部（２１）は端末側画像記憶部（２５）から１１月のカレンダ画像（Ｃ１１）と壁紙画像（Ｋ１１）を読み出して、１１月のカレンダ画像（Ｃ１１）を表示部（２６）に切り替え表示するとともに、それと連動して対応する壁紙画像（Ｋ１１）を表示部（２６）に切り替え表示する。しかして、これら「ＢＡＣＫ」「ＮＥＸＴ」部分（５３）（５４）のマウスによるクリックを繰り返すと、前記制御部（２１）により１月から１２月までのカレンダ画像（Ｃ）と壁紙画像（Ｋ）が表示部（２６）に順次切り替え表示される。
【００６０】
これによれば、ビジネスマン、学生、および主婦など大部分の消費者（Ａ）は、パソコン（２）のデスクトップに表示されているカレンダ画像（Ｃ）を毎日のように閲覧することから、そのカレンダ画像（Ｃ）と連動してパソコン（２）のデスクトップに表示される壁紙画像（Ｋ）も必然的に毎日のように閲覧する。しかも、複数のカレンダ画像（Ｃ）が所定期間ごとに切り替え表示されると、それと連動して壁紙画像（Ｋ）も所定期間ごとに切り替え表示されるので、消費者（Ａ）が壁紙画像（Ｃ）に飽きて当該壁紙画像（Ｃ）を消去したり、あるいは他社の目新しい壁紙画像に乗り換えることを防止し得る。このため、企業は、毎日のように且つ長期間に亘って消費者（Ａ）に対して壁紙画像（Ｋ）を閲覧させことができ、消費者（Ａ）のパソコン（２）を活用して消費者（Ａ）に対して効果的に広告を行うことが可能となる。
【００６１】
なお、この実施例では、前記カレンダ画像（Ｃ）は、シースルー画像となされている。これによれば、カレンダ画像（Ｃ）が表示されている部分においても背景の壁紙画像（Ｋ）が透けて表示されるので、カレンダ画像（Ｃ）に隠れることなく壁紙画像（Ｋ）全体を広告に用いることができ、企業は消費者（Ａ）のパソコン（２）を活用して消費者（Ａ）に対してより一層効果的に広告を行うことが可能となる。
【００６２】
また、前記企業についてのアイコン画像（６２）が前記表示部（２６）のデスクトップ画面上に表示されており、消費者（Ａ）がアイコン画像（６２）をマウスでクリックした場合に、制御部（２１）により企業のホームページが存在するサーバコンピュータに自動的に接続できるようになっている。これによれば、消費者（Ａ）はマウスでアイコン画像（６２）をクリックするだけで企業のホームページに簡単にアクセスし得るので、企業はホームページを通じてさらに自社に関する様々な情報を消費者に対して提供することができる。
【００６３】
図７は、前記広告画像表示システムの動作を示すフローチャートである。
【００６４】
まず、前記パソコン（２）が、インターネット（ＩＮ）を介して前記サーバ（１）に画像送信の要求をする（Ｓ１）。
【００６５】
前記サーバ（１）では、前記制御部（１１）が前記サーバ側画像記憶部（１４）からカレンダ画像（Ｃ）および壁紙画像（Ｋ）を読み出したあと、通信部（１５）に命令してカレンダ画像（Ｃ）および壁紙画像（Ｋ）を通信部（１５）からインターネット（ＩＮ）を介して前記パソコン（２）に送信する（Ｓ２）。
【００６６】
前記パソコン（２）では、制御部（２１）が送信されてきたカレンダ画像（Ｃ）と壁紙画像（Ｋ）を前記通信部（２４）により受信せしめたあと（Ｓ３）、それらの画像を互いに対応させながら前記端末側画像記憶部（２５）に記憶せしめる（Ｓ４）。
【００６７】
そして、前記制御部（２１）は、上述のように前記画像表示プログラムに従ってパソコン（２）内のカレンダ機能と連動しながら、所定の前記カレンダ画像（Ｃ）と壁紙画像（Ｋ）を前記端末側画像記憶部（２５）から読み出し、そのカレンダ画像（Ｃ）を表示部（２６）に切り替え表示するとともに、それと連動して対応する壁紙画像（Ｋ）を表示部（２６）に切り替え表示する（Ｓ５）。
【実施例２】
【００６８】
次にこの発明の第２の実施例について説明する。
【００６９】
この実施例に係る広告画像表示システムは、実施例１に係る広告画像表示システムにおいて消費者（Ａ）に関する情報（以下、消費者情報という）をカレンダ画像（Ｃ）上に入力できるようにしたものである。
【００７０】
図８は、この実施例に係る広告画像表示システムに用いられるパソコン（２）のハードウェア構成を示す概略図である。
【００７１】
このパソコン（２）には、消費者（Ａ）のスケジュールや記念日等の消費者情報を記憶する消費者情報記憶部（２８）が設けられている。なお、前記制御部（２１）、ＲＯＭ（２２）、ＲＡＭ（２３）、通信部（２４）、端末側画像記憶部（２５）、表示部（２６）、および入力部（２７）は図３に示すものと同一なので、同一符号を付してその説明を省略する。
【００７２】
しかして、消費者（Ａ）が入力部（２７）により消費者情報を入力すると、制御部（２１）が該入力部（２７）により入力された消費者情報を前記消費者情報記憶部（２８）に記憶せしめるとともに、該消費者情報記憶部（２８）に記憶された消費者情報を前記表示部（２６）に表示されたカレンダ画像（Ｃ）上に表示する。
【００７３】
例えば、図９に示すように、設定用デスクトップ画面において、消費者（Ａ）がカレンダ画像（Ｃ）における所定の日（例えば２３日）をマウスでクリックすると、制御部（２１）がカレンダ画像（Ｃ）上に入力ボックス（５５）を表示する。そして、消費者（Ａ）が入力ボックス（５５）に自己のスケジュール等の消費者情報を入力すれば、制御部（２１）は、その消費者情報を前記消費者情報記憶部（２８）に記憶せしめるとともに、カレンダ画像（Ｃ）の所定の日（例えば２３日）の枠内に消費者情報を表示する。
【００７４】
また、図１０に示すように、消費者（Ａ）がカレンダ画像（Ｃ）における「環境設定」部分をマウスでクリックすると、制御部（２１）が環境設定ボックス（５７）を表示部（２１）に表示する。そして、消費者（Ａ）がさらに環境設定ボックス（５７）の「休日設定」部分（５７ａ）を選択して「新規作成」ボタン（５７ｂ）をクリックすると、制御部（２１）が環境設定ボックス（５７）の右横に休日設定ボックス（５８）を表示する。そして、消費者（Ａ）が休日設定ボックス（５８）の「日付」欄（５８ａ）に所定の日付を入力し、かつ「名称」欄（５８ｂ）に記念日等の消費者情報を入力して「ＯＫ」ボタン（５８ｃ）をクリックすると、制御部（２１）が記念日等の消費者情報を前記消費者情報記憶部（２８）に記憶せしめるとともに、カレンダ画像（Ｃ）の所定の日の枠内に記念日等の消費者情報を表示する。
【００７５】
これによれば、カレンダ画像（Ｃ）上にスケジュール、記念日、その他消費者に関する情報（消費者情報）が入力されることから、カレンダ画像（Ｃ）の実用性が向上するとともに、カレンダ画像（Ｃ）への消費者の愛着も向上する。このため、消費者（Ａ）は、カレンダ画像（Ｃ）と連動して表示される壁紙画像（Ｋ）も必然的に保持することなるので、企業は消費者（Ａ）のパソコン（２）を活用して消費者（Ａ）に対してより一層効果的に広告を行うことが可能となる。
【００７６】
なお、この実施例では、消費者情報の入力形式は、前記入力ボックス（５５）、環境設定ボックス（５７）、または休日設定ボックス（５８）を用いた入力形式としたが、その他の入力形式であってもよい。
【実施例３】
【００７７】
次にこの発明の第３の実施例について説明する。
【００７８】
この実施例に係る広告画像表示システムは、実施例２に係る広告画像表示システムにおいて企業に関する情報（以下、企業情報という）がカレンダ画像（Ｃ）上に表示されるようにしたものである。
【００７９】
図１１は、この実施例に係る広告画像表示システムに用いられるサーバ（１）のハードウェア構成を示す概略図である。
【００８０】
このサーバ（１）には、製品の発売日、予約受付開始日、あるいはイベント開催日、その他企業情報を記憶するサーバ側企業情報記憶部（１６）が設けられている。なお、前記制御部（１１）、ＲＯＭ（１２）、ＲＡＭ（１３）、端末側画像記憶部（１４）、および通信部（１５）は図２に示すものと同一なので、同一符号を付してその説明を省略する。
【００８１】
図１２は、この実施例に係る広告画像表示システムに用いられるパソコン（２）のハードウェア構成を示す概略図である。
【００８２】
このパソコン（２）には、製品の発売日、予約受付開始日、あるいはイベント開催日、その他企業情報を記憶する端末側企業情報記憶部（２９）が設けられている。なお、前記制御部（１１）、ＲＯＭ（２２）、ＲＡＭ（２３）、通信部（２４）、端末側画像記憶部（２５）、表示部（２６）、および入力部（２７）、消費者情報記憶部（２８）は図８に示すものと同一なので、同一符号を付してその説明を省略する。
【００８３】
しかして、前記サーバ（１）において、前記制御部（１１）は前記サーバ側企業情報記憶部（１６）から所定の企業情報を読み出して、通信部（１５）に命令して企業情報を通信部（１５）からインターネット（ＩＮ）を介してパソコン（２）に送信する。そして、前記パソコン（２）において、前記制御部（２１）は、送信されてきた企業情報を通信部（２４）により受信せしめ、前記端末側企業情報記憶部（２９）に記憶せしめたあと、消費者（Ａ）の所定の操作に応じてまたは自動的に企業情報を前記表示部（２６）に表示されたカレンダ画像（Ｃ）上に表示する。
【００８４】
例えば、図１３に示すように、設定用デスクトップ画面において、消費者（Ａ）がカレンダ画像（Ｃ）上に表示された馬マーク（５９）にカーソルを会わせると、前記制御部（２１）は前記企業情報記憶部（２９）からその日の競馬情報等の企業情報を読み出して帯枠（６０）内に表示する。
【００８５】
これによれば、カレンダ画像（Ｃ）上に、製品の発売日、予約受付開始日、あるいはイベント開催日、その他企業に関する情報（企業情報）が表示されるので、企業は自社に関する様々な情報を消費者に対してタイムリーに提供することができ、企業は消費者の情報端末装置を活用して消費者に対してより一層効果的に広告を行うことが可能となる。
【００８６】
なお、この実施例では、実施例２に示す広告画像表示システムをベースにしたが、実施例１に示す広告画像システムをベースにしてもよい。
【００８７】
また、企業情報の出力形式は、前記帯枠（６０）を用いた出力形式としたが、その他の出力形式であってもよい。
【実施例４】
【００８８】
次のこの発明の第４の実施例について説明する。
【００８９】
この実施例に係る広告画像表示システムは、各消費者（Ａ）のパソコン（２）に対して、各消費者（Ａ）の年齢層および性別（分類）に対応した企業情報を送信するものである。
【００９０】
例えば、図１４に示すように、サーバ（１）は、２０代男性の消費者（Ａ１）のパソコン（２）に対しては、２０代男性が興味を持つ企業情報（Ｍ２０）を送信し、また４０代男性の消費者（Ａ２）のパソコン（２）に対しては、４０代男性が興味を持つ企業情報（Ｍ４０）を送信し、また２０代女性の消費者（Ａ３）のパソコン（２）に対しては、２０代女性が興味を持つ企業情報（Ｗ２０）を送信し、また４０代女性の消費者（Ａ）のパソコン（２）に対しては、４０代女性が興味を持つ企業情報（Ｗ４０）を送信する。
【００９１】
図１５は、この実施例に係る広告画像表示システムに用いられるサーバ（１）のハードウェア構成を示す図である。
【００９２】
このサーバ（１）には、各消費者（Ａ）のパソコン（２）に記憶されているカレンダ画像（Ｃ）および壁紙画像（Ｋ）に関する情報（以下、消費者情報という）を記憶するサーバ側消費者情報記憶部（１７）が設けられている。
【００９３】
また、サーバ側企業情報記憶部（１６）は、各消費者（Ａ）の年齢層および性別に対応した複数の企業（Ａ社、Ｂ社、Ｃ社、…）に関する情報（企業情報）を記憶する。この企業情報は、実施例３と同様に、各企業の製品の発売日、予約受付開始日、あるいはイベント開催日などである。
【００９４】
また、制御部（１１）は、前記サーバ側消費者情報記憶部（１７）に記憶されている消費者情報に基づいて、各消費者の年齢および性別を判定する消費者分類判定機能と、該消費者分類判定機能により判定された消費者の年齢および性別に基づいて、その分類に対応する企業情報をサーバ側企業情報記憶部（１６）から検索する企業情報検索機能とを備える。
【００９５】
例えば、各消費者の年齢層および性別の判定については、パソコン（２）上の壁紙およびカレンダ画像（Ｃ）がアウトドア関連会社のものである場合には２０代男性と判定し、ビール会社のものである場合には４０代男性と判定し、化粧品関連会社のものである場合には２０代女性と判定し、ブランド会社のものである場合には４０代女性と判定するというように、各消費者（Ａ）のパソコン（２）に記憶されている壁紙およびカレンダ画像（Ｃ）がどこの企業のものであるかという消費者情報から、各消費者の年齢層および性別を判定するものとしている。
【００９６】
また、通信部（１５）は、前記制御部（１１）の企業情報検索機能により検索された企業情報を、対応する年齢層および性別の各消費者（Ａ）のパソコン（２）にネットワークを介して送信する企業情報送信機能を備える。
【００９７】
なお、前記ＲＯＭ（１２）、ＲＡＭ（１３）、サーバ側画像記憶部（１４）、および通信部（１５）は図１１に示すものと同一なので、同一符号を付してその説明を省略する。また、パソコン（２）については、図１２に示すものと同一なので、その説明を省略する。
【００９８】
しかして、前記サーバ（１）は、前記制御部（１１）の消費者分類判定機能によって、前記消費者情報記憶部（１７）に記憶されている消費者情報に基づいて、各消費者（Ａ）の年齢層および性別を判定する。
【００９９】
そして、前記制御部（１１）の企業情報検索機能によって、前記消費者分類判定機能により判定された消費者（Ａ）の年齢および性別に基づいて、その分類に対応する企業情報をサーバ側企業情報記憶部（１６）から検索する。
【０１００】
そして、前記通信部（１５）の企業情報送信機能によって、前記制御部（１１）の企業情報検索機能により検索された企業情報を、対応する年齢層および性別の各消費者（Ａ）のパソコン（２）にネットワークを介して送信する。
【０１０１】
あとは、パソコン（２）は、前記サーバ（１）から送信されてきた企業情報を受信し、その企業情報を前記端末側企業情報記憶部（２９）に記憶せしめたあと、消費者の所定の操作に応じてまたは自動的に企業情報を前記表示部（２６）に表示されたカレンダ画像（Ｃ）や壁紙画像（Ｋ）に表示する。
【０１０２】
これによれば、各消費者（Ａ）のパソコン（２）に対して、各消費者（Ａ）の年齢層および性別に対応した企業情報を送信するので、企業は自社に関する様々な情報をそれに興味を有する消費者に提供することができ、企業は消費者（Ａ）に対してより一層効率的に広告を行うことが可能となる。
【０１０３】
なお、この実施例では、消費者情報は、消費者（Ａ）のパソコン（２）に記憶されているカレンダ画像（Ｃ）および壁紙画像（Ｋ）に関する情報としたが、消費者の年齢、性別、あるいは住所などの直接的な情報であってもよい。
【０１０４】
また、消費者（Ａ）の分類は、消費者の年齢層および性別としたが、その他の分類であってもよい。
【実施例５】
【０１０５】
次にこの発明の第５の実施例について説明する。
この実施例に係る広告画像表示システムでは、図１６に示すように、消費者（Ａ）のパソコンにおいてチャンネル画像（１０１）が表示され、そのチャンネル画像（１）において一のチャンネルを選択すると、そのチャンネルに対応する企業のカレンダ画像（Ｃ）および壁紙画像（Ｋ）に切り替え表示されるものである。
【０１０６】
この実施例に係るパソコン（２）は、図３、図８、あるいは図１２に用いられるパソコンと同一構成である。
【０１０７】
この実施例では特に、前記端末側画像記憶部（２５）は、複数の企業のカレンダ画像（Ｃ）および壁紙画像（Ｋ）を１〜１２までのチャンネルに対応させて記憶するものとなされている。なお、チャンネルが１〜１２まで存在する場合であっても、それらすべてのチャンネルに企業のカレンダ画像（Ｃ）および壁紙画像（Ｋ）を対応させる必要はなく、１２チャンネルのうち数チャンネルのみ対応させるものとしてもよい。また、チャンネルは、１１以下または１３以上の数字であってもよいし、その他の文字あるいは記号であってもよい。
【０１０８】
また、制御部（２１）は、チャンネル画像を表示部（２６）に表示させる。このチャンネル画像は、図１６に示すように、カレンダ画像の下部において１〜１２までのボタン形式のチャンネルが並んで表示されるものである。このチャンネル画像（１０１）のいずれかのチャンネルがマウス等により選択されると、制御部はそのチャンネルに対応する企業のカレンダ画像（Ｃ）および壁紙画像（Ｋ）を前記端末側画像記憶部（２５）から読み出して表示部（２６）に表示させる。（１０２）は、企業名表示欄であり、カーソルをチャンネルに重ね合わると、そのチャンネルに対応する企業の名称等が表示されるようになっている。
【０１０９】
例えば、図１７（ａ）に示すように、ある企業のカレンダ画像および壁紙画像が表示されている場合において、あるチャンネルをマウス等により選択すると、図１７（ｂ）に示すように、そのチャンネルに対応する別の企業のカレンダ画像および壁紙画像が表示される。また、別のチャンネルをマウス等により選択すると、図１７（ｃ）に示すように、そのチャンネルに対応する企業のカレンダ画像および壁紙画像が表示される。
【０１１０】
なお、以上いずれの実施例についても、携帯電話等の携帯型情報端末装置により撮影された画像を、その撮影年月日に対応するカレンダ画像上の年月日に関連付けて記憶する画像記憶手段を備えるものとしてもよい。これによれば、カレンダ画像上の年月日欄をクリックする方法等によって、その年月日に撮影された画像をパソコン（２）の表示手段に表示させることができる。携帯型情報端末装置により撮影された画像は、情報端末装置に直接取り込むものとしてもよいし、あるいは電子メール等によりサーバ（１）に一旦送信し、サーバ（１）からパソコン（２）に送信するものとしてもよい。
【０１１１】
また、カレンダ画像（Ｃ）、壁紙画像（Ｋ）および画像表示プログラムをサーバ（１）からインターネット（ＩＮ）を介してパソコン（１）にダウンロードするものとしたが、ＣＤ−ＲＯＭ等の記録媒体からそれに記録されたカレンダ画像（Ｃ）、壁紙画像（Ｋ）および画像表示プログラムをパソコン（１）にインストールするものとしてもよい。
【０１１２】
また、情報端末装置としてパソコン（１）を用いたが、これに限定されるものではなく、携帯電話、ＰＨＳ（Personal Handy-phone System）、ＰＤＡ（Personal Digital Assistant）などを用いてもよい。
【０１１３】
また、ネットワークとしてインターネット（ＩＮ）を用いたが、これに限定されるものではなく、その他のネットワークを用いてもよい。
【０１１４】
また、カレンダ画像（Ｃ）および壁紙画像（Ｋ）はいずれも図に示すものに限定されるものではなく、その他のレイアウトの画像であってもよい。
【産業上の利用可能性】
【０１１５】
消費者の情報端末装置を広告媒体として活用して、消費者に対して効率的に広告を行う用途に適用することができる。
【図面の簡単な説明】
【０１１６】
【図１】この発明の実施形態に係る広告画像表示システムの構成概略図である。
【図２】図１のサーバのハードウェア構成を示す概略図である。
【図３】図１のパソコンのハードウェア構成を示す概略図である。
【図４】カレンダ画像と壁紙画像の一例を示す図である。
【図５】設定用のデスクトップ画面を示す図である。
【図６】カレンダ画像と壁紙画像の例を示す図である。
【図７】図１の広告画像表示システムの動作を示すフローチャートである。
【図８】この発明の実施例２に係るパソコンのハードウェア構成を示す概略図である。
【図９】消費者情報（スケジュール）を入力する際のデスクトップ画面を示す図である。
【図１０】消費者情報（記念日）を入力する際のデスクトップ画面を示す図である。
【図１１】この発明の実施例３に係るサーバのハードウェア構成を示す図である。
【図１２】この発明の実施例３に係るパソコンのハードウェア構成を示す図である。
【図１３】企業情報を表示する際のデスクトップ画面を示す図である。
【図１４】この発明の実施例４に係る広告画像表示システムの構成概略図である。
【図１５】図１４のサーバのハードウェア構成を示す概略図である。
【図１６】チャンネル画面が表示されたカレンダ画像の例を示す図である。
【図１７】各チャンネルに対応するカレンダ画像と壁紙画像を示す図である。
【符号の説明】
【０１１７】
１・・・サーバ
２・・・パソコン
【図１】
2004287393.tif 000003
【図２】
2004287393.tif 000004
【図３】
2004287393.tif 000005
【図４】
2004287393.tif 000006
【図５】
2004287393.tif 000007
【図６】
2004287393.tif 000008
【図７】
2004287393.tif 000009
【図８】
2004287393.tif 000010
【図９】
2004287393.tif 000011
【図１０】
2004287393.tif 000012
【図１１】
2004287393.tif 000013
【図１２】
2004287393.tif 000014
【図１３】
2004287393.tif 000015
【図１４】
2004287393.tif 000016
【図１５】
2004287393.tif 000017
【図１６】
2004287393.tif 000018
【図１７】
2004287393.tif 000019